(57)【特許請求の範囲】
【請求項１】
浴水を低温から高温に加熱可能としたヒータと、浴水を循環させるための循環ポンプと、該循環ポンプにて浴水が浴槽から前記循環ポンプ、前記ヒータを介して再び浴槽に戻るようにした循環管路と、該循環管路の前記浴槽からの吸込み側の管路に一端を連結し、他端を前記循環管路の前記浴槽への流出側の管路に連結する連結管路と、前記循環管路の前記浴槽への流出側の管路に連結する連結管路の結合箇所から前記循環管路中の前記循環ポンプの吐出側管路に一端を連結し、他端を前記循環管路の吸込み側の管路に連結する前記連結管路の結合箇所から吸込み側の管路に連結する副連結管路とからなり、管路殺菌洗浄時には、前記連結管路及び副連結管路を介して循環管路内の浴水を前記ヒータにて高温にしつつ循環可能とし、管路殺菌洗浄後の排水時には、前記循環管路内で殺菌浄化した熱水を前記流出側の管路、前記連結管路、前記副連結管路を介して前記吸込み側の管路から排水し、さらに前記吸込み側の管路、前記循環管路を介して前記流出側の管路から排水するようにしてなることを特徴とする浴水循環装置における管路殺菌浄化装置。
【請求項２】
浴水を低温から高温に加熱可能としたヒータと、浴水を循環させるための循環ポンプと、該循環ポンプにて浴水が浴槽から前記循環ポンプ、前記ヒータを介して再び浴槽に戻るようにした循環管路と、該循環管路の前記浴槽への流出側の管路中に配置した三方弁と、該三方弁に一端が連結され他端が前記循環管路の前記浴槽からの吸込み側の管路に連結する連結管路と、前記循環管路の前記浴槽への流出側の管路に連結する連結管路の結合箇所から前記循環管路中の前記循環ポンプの吐出側管路に一端を連結し、他端を前記循環管路の吸込み側の管路に連結した前記連結管路の結合箇所から吸込み側寄りの管路に連結する副連結管路と、前記循環管路の吸込み側の管路に連結した前記連結管路の結合箇所と前記副連結管路の結合箇所との間の管路中に設けた第１開閉弁と、前記副連結管路に設けた第２開閉弁とからなり、管路殺菌洗浄時には、前記連結管路及び副連結管路を介して循環管路内の浴水を前記ヒータにて高温にしつつ循環可能とし、管路殺菌洗浄後の排水時には、前記循環管路内で殺菌浄化した熱水を前記三方弁を切替えると共に前記第１開閉弁を閉鎖し第２開閉弁を開放して前記流出側の管路を介して汲み上げた浴水により前記連結管路、前記副連結管路を介して前記吸込み側の管路から排水し、さらに前記三方弁を切替えると共に前記第１開閉弁を開放し第２開放弁を閉鎖して前記吸込み側の管路を介して汲み上げた浴水により熱水を前記循環管路を介して前記流出側の管路から排水するようにしてなることを特徴とする浴水循環装置における管路殺菌浄化装置。
【請求項３】
浴水を低温から高温に加熱可能としたヒータと、浴水を循環させるための循環ポンプと、該循環ポンプにて浴水が浴槽から前記循環ポンプ、前記ヒータを介して浴槽に戻るようにした循環管路と、該循環管路の前記浴槽からの吸込み側の管路に一端を連結し、他端を前記循環管路の前記浴槽への流出側の管路に連結する連結管路と、前記循環管路の前記浴槽への流出側の管路に連結する連結管路の結合箇所から前記循環管路中の前記循環ポンプの吐出側管路に一端を連結し、他端を前記循環管路の吸込み側の管路に連結した前記連結管路の結合箇所から吸込み側寄りの管路に連結する副連結管路と、前記循環管路の流出側の管路に連結された前記連結管の結合部と前記流出側の管路に連結された副連結管の結合部の間の管路に設けた開閉弁Ｖ１と、前記循環管路の流出側の管路に連結された前記連結管の結合部から浴槽側の管路に設けた開閉弁Ｖ２と、前記連結管路に設けた開閉弁Ｖ３と、前記循環管路の吸込み側の管路に連結した前記連結管路の結合箇所と前記副連結管路の結合箇所との間の管路に設けた第１開閉弁と、前記副連結管路に設けた第２開閉弁とからなり、管路殺菌洗浄時には、前記連結管路及び副連結管路を介して循環管路内の浴水をヒータにて高温にしつつ循環可能とし、管路殺菌洗浄後の排水時には、前記循環管路内で殺菌浄化した熱水を前記開閉弁Ｖ１と前記第１開閉弁を閉鎖すると共に残りの開閉弁を開放して前記流出側の管路を介して汲み上げた浴水により前記連結管路、前記副連結管路介して前記吸込み側の管路から排水し、さらに前記開閉弁Ｖ３と前記第２開閉弁を閉鎖すると共に残りの開閉弁を開放して前記吸込み側の管路を介して汲み上げた浴水により前記循環管路を介して熱水を前記流出側の管路から排水するようにしてなることを特徴とする浴水循環装置における管路殺菌浄化装置。
【請求項４】
請求項２又は３において、殺菌洗浄時間を開始・制御する熱水殺菌洗浄指令手段と、前記管路洗浄，排水等のために制御する弁制御手段と、熱水，浴水の温度を制御する手段とを備え、前記熱水殺菌洗浄指令手段は、洗浄開始時間を設定する時間設定部と、設定された洗浄開始時間と洗浄時間を記憶する時間記憶部とを有してなることを特徴とする浴水循環装置における管路殺菌浄化装置。
【発明の詳細な説明】
【０００１】
【産業上の利用分野】
本発明は、熱水にて循環管路を熱水洗浄し、その殺菌浄化後の排出時に循環管路内で殺菌浄化した熱水を循環管路の吸込み箇所及び流出箇所より排水し且つその箇所を熱水洗浄して全体の管路を熱水清浄できるようにした浴水循環装置における管路殺菌浄化装置に関する。
【０００２】
【従来の技術】
従来の浴水循環装置は、長期間の使用により装置本体と配管に微生物膜が付着することがあり、安全衛生問題のため、ある一定期間毎に装置を殺菌、洗浄する必要があった。またその方法は、浴槽外の配管ではなく、浴槽内の湯に直接殺菌剤を投入して浴水循環装置を循環させて、殺菌洗浄するものであった。
【０００３】
【発明が解決しようとする課題】
このように、浴槽の湯に殺菌剤を投入するために、多量の薬品を使わなければならず、不経済であったり、薬品使用後に浴槽を洗浄しなければならなかった。このようなことから、当該出願人は、循環管路内のみを熱水にて殺菌・洗浄する装置を開発した。該装置では、循環管路の要部を熱水循環させ、この熱水は浴槽外に排出する構成であった。即ち、熱水を外部に流出して浴槽箇所での入浴者に熱水が当たらないようにして安全性を図っている。
これは、熱水が循環管路の要部にて循環されて排出されるものであるが、更に全体的な循環管路に対しても熱水洗浄できる構成が要望されている。即ち、循環管路全体に対しての熱水殺菌洗浄を定期的に行うことが要望されていた。
【０００４】
【課題を解決するための手段】
そこで、発明者は、前記課題を解決すべく、鋭意，研究を重ねた結果、本発明を、浴水を低温から高温に加熱可能としたヒータと、浴水を循環させるための循環ポンプと、該循環ポンプにて浴水が浴槽から前記循環ポンプ、前記ヒータを介して再び浴槽に戻るようにした循環管路と、該循環管路の前記浴槽からの吸込み側の管路に一端を連結し、他端を前記循環管路の前記浴槽への流出側の管路に連結する連結管路と、前記循環管路の前記浴槽への流出側の管路に連結する連結管路の結合箇所から前記循環管路中の前記循環ポンプの吐出側管路に一端を連結し、他端を前記循環管路の吸込み側の管路に連結する前記連結管路の結合箇所から吸込み側の管路に連結する副連結管路とからなり、管路殺菌洗浄時には、前記連結管路及び副連結管路を介して循環管路内の浴水を前記ヒータにて高温にしつつ循環可能とし、管路殺菌洗浄後の排水時には、前記循環管路内で殺菌浄化した熱水を前記流出側の管路、前記連結管路、前記副連結管路を介して前記吸込み側の管路から排水し、さらに前記吸込み側の管路、前記循環管路を介して前記流出側の管路から排水するようにしてなることを特徴とする浴水循環装置における管路殺菌浄化装置としたことにより、熱水にて循環管路を熱水殺菌洗浄し、その殺菌浄化後の排出時に循環管路内で殺菌浄化した熱水を循環管路の吸込み箇所及び流出箇所より排水し且つその箇所を熱水殺菌洗浄し、これにより全体の管路を熱水殺菌清浄できるようにし、前記の課題を解決したものである。
【０００５】
【実施の形態】
まず、本発明の第１の実施の形態について図面に基づいて説明すると、図５及び図８に示すように、浴水循環装置は、主に、浴水を低温から高温に加熱するセラミックヒータ等のヒータ１と、微細なごみ及び汚れなる不純物を浴水から濾過するフィルタ２と、浴水を殺菌する紫外線殺菌装置３と、浴水を循環させるための循環ポンプＰと、該循環ポンプＰにて浴水が浴槽１０から浴槽１０に戻るように循環する循環管路５等とから構成されている。
【０００６】
そのフィルタ２は、種類としては、精密フィルタ又は普通フィルタであり、活性石，活性炭を充填したものとして吸着剤濾材フィルタ材として使用したり、或いは、織布又は不織布からなりフィルタ素材から構成するものもある。何れにしても、不純物で微細なるごみ及び汚れを除去するものである。
【０００７】
連結管路６は、前記循環管路５の吸込み側寄りの適宜な箇所と、前記循環管路５の流出側寄りの適宜な箇所とを連結すると前記循環管路５の流出側管路５ｂの適宜な箇所とを連結するように構成され、前記循環ポンプＰ，ヒータ１，フィルタ２，紫外線殺菌装置３を配置された循環管路５と連結管路６とで閉ループが構成される。また、循環ポンプＰの次に、ヒータ１，フィルタ２，紫外線殺菌装置３の順序に限定されず、適宜のものが設けられる。また、前記循環管路５において、前記連結管路６の両端との結合箇所よりも、吸込み側を汲水側管路５ａと、流出側を流出側管路５ｂとそれぞれ称する。前記汲水側管路５ａ及び流出側管路５ｂ上には、前記循環ポンプＰ，ヒータ１，フィルタ２，紫外線殺菌装置３は設けられないように構成されている。前記汲水側管路５ａの吸込み口には、プレフィルタ８が、前記流出側管路５ｂの流出口には、ジェット噴流が出るように噴出部９が設けられている。また、前記連結管路６は、なるべくプレフィルタ８，噴出部９寄りに設けられることが好ましい。
【０００８】
副連結管路７は、前記循環管路５の流出側での連結管路６の結合箇所よりも中心側寄りの適宜な位置と，前記循環管路５の吸込み側での連結管路６の結合箇所よりも吸込み側寄りの適宜な位置との間に設けられている。三方弁Ｖは、前記連結管路６の流出側寄りの基部に設けられている。即ち、循環管路５と連結管路６との結合箇所に設けられている。また、第１開閉弁Ｖ１は、前記循環管路５の吸込み側で，連結管路６の結合箇所と副連結管路７の結合箇所との間の適宜な位置に設けられている。さらに、第２開閉弁Ｖ２は、前記副連結管路７の適宜の位置に設けられている。具体的には、第２開閉弁Ｖ２は、副連結管路７において循環管路５の流出側寄りに設けられている。また、前記副連結管路７は、熱水が停滞する虞があるため，なるべく短くすることが好適である。
【０００９】
熱水管路洗浄するときには、三方弁Ｖのポート▲４▼からポート▲２▼に流通するように切換えられ、且つ第１開閉弁Ｖ１及び第２開閉弁Ｖ２はそれぞれ開放に切換えらる。これによって、図６に示すように、循環管路５において、浴水がヒータ１にて高温にされつつ前記循環ポンプＰ，ヒータ１，フィルタ２，紫外線殺菌装置３を配置された循環管路５と連結管路６とでの閉ループと、この閉ループに並列に設けた副連結管路７と汲水側管路５ａと前記閉ループの一部とで第２閉ループを構成して、この内部の浴水が循環ポンプＰの動作にて循環する。そして所定の温度の熱水とした後、所定の時間内熱水管路洗浄を行う。その後の熱水排出モードにおいては、三方弁Ｖのポート▲３▼からポート▲２▼に流通するように切換えられ、且つ第１開閉弁Ｖ１が閉鎖され、第２開閉弁Ｖ２は開放状態を保持する。これによって、図７に示すように、流出側管路５ｂと連結管路６とが逆方向循環となって汲水側管路５ａから熱水が浴槽１０内に流出してその汲水側管路５ａ内及びプレフィルタ８箇所を熱水にて殺菌洗浄を行なう。これは所定時間で終了し、今度は、通常循環と同様となるように弁制御される。即ち、図８に示すように、三方弁Ｖはポート▲４▼からポート▲３▼に流通するように切換えられ、且つ第１開閉弁Ｖ１は開放され、第２開閉弁Ｖ２は閉鎖される。これによって、未だに閉ループ内に残っている熱水が流出側管路５ｂ及び噴出部９箇所を殺菌洗浄をしつつ浴槽１０内に戻る。このような熱水循環にて、循環管路５の全ての箇所を殺菌洗浄できる。即ち、全水系殺菌洗浄ができる。
【００１０】
本発明では、弁制御を含めて全て自動操作にて行なわれる。この構成は、図１に示すように、ブロック図にて構成されている。即ち、中央演算処理装置２１（ＣＰＵ）が設けられ、熱水管路殺菌洗浄の開始・終了等を制御する熱水殺菌洗浄指令手段２２と、前記三方弁Ｖ，第１開閉弁Ｖ１及び第２開閉弁Ｖ２の切換を制御する弁制御手段２３と、第１温度センサー２５及び第２温度センサー２６を切換制御する温度センサー切換手段２４と、ランプ制御手段２７と、ヒータ制御手段２８とが設けられている。前記熱水殺菌洗浄指令手段２２には、循環管路内を熱水洗浄するために洗浄開始時間を設定する時間設定部と、設定された洗浄開始時間と洗浄時間を記憶する時間記憶部と、洗浄開始時間と洗浄時間を適宜変更する時間変更部とを有している。前記中央演算処理装置２１，熱水殺菌洗浄指令手段２２，弁制御手段２３，温度センサー切換手段２４，ランプ制御手段２７，ヒータ制御手段２８等を総称して制御部Ａと称する。
【００１１】
前記第１温度センサー２５は浴槽湯として所望の湯温（例えば，４２℃等）を検知するものであり，第２温度センサー２６は、熱水管路洗浄時において、６５℃乃至７０℃以上か否かを検知するものである。この２つの温度センサーを通常運転モード，熱水殺菌洗浄モードにおいて前記温度センサー切換手段２４にて切換えるものである。また、ランプ制御手段２７にてＵＶランプ３ａのＯＮ，ＯＦＦが制御される。さらに、ヒータ制御手段２８にてヒータ１のＯＮ，ＯＦＦが制御されている。
【００１２】
図２及び図３は、本発明は、循環管路内の湯温制御及び三方弁Ｖ，第１開閉弁Ｖ１，第２開閉弁Ｖ２等の弁の切換指令の制御のフローチャートであり、図２のフローチャートの▲１▼の状態から、所定の設定時間後に、全水系熱水殺菌洗浄モードとなり（Ｓ１１参照）、温度センサー切換手段２４にて切換えられ（Ｓ１２参照）、第２温度センサー（熱水タイプ）２６がＯＮとなる（Ｓ１３参照）。このときには、ヒータ１はＯＮ状態を保持している。そして紫外線殺菌装置３のＵＶランプ３ａが消灯する（Ｓ１４参照）。そして、弁制御手段２３にて三方弁Ｖはポート▲４▼からポート▲２▼に流通して、管路内循環に変更するように切換えられ（Ｓ１５参照）、且つ第２開閉弁Ｖ２が開放され（Ｓ１６参照）、第１開閉弁Ｖ１はそのままの開放状態を保持する。そして、前述の熱水殺菌洗浄モードを行ったときから、熱水殺菌洗浄指令手段２２が動作して、熱水管路殺菌洗浄開始するまでの温度上昇を勘案した所定時間を基に浴水温度を計測し（Ｓ１７参照）、そして、循環管路５内の温度が第２温度センサー２６を介して所定温度（例えば７０℃）か否かを自動的に検知し（Ｓ１８参照）、所定温度を超えない場合には、ヒータ１のＯＮ状態を保持する。
【００１３】
また、管路内の浴水が所定温度（例えば７０℃）となった場合には、ヒータ１がＯＦＦとなる（Ｓ１９参照）。この状態において、循環ポンプＰのポンプ圧にて閉ループ管内の浴水が循環して熱水管路殺菌洗浄作業が開始となり、この状態は図２に示す通りである。このとき、汲水側管路５ａのプレフィルタ８寄りには弁は存在しないが、三方弁Ｖの連結管路６箇所及び副連結管路７箇所の水頭が浴槽１０箇所よりも上部にあるためと熱水管路内の湯が外部に流出しないことから、汲水側管路５ａ又はプレフィルタ８からの浴水の流入はない。そして、前記熱水管路殺菌洗浄作業開始のときから、熱水殺菌洗浄指令手段２２が動作して、熱水管路洗浄する所定時間（７０℃で約５分）を計測し（Ｓ２０参照）、この所定時間経過したか否かを判断し（Ｓ２１参照）、所定時間が経過しない場合には前記Ｓ１８の手前に戻り、その所定時間が経過した場合には、熱水管路殺菌洗浄作業は終了し、今度は、吸排ユニット熱水殺菌モードとなる（Ｓ２２参照）。
【００１４】
まず、汲水部熱水殺菌モードとなる（Ｓ２３参照）。そして、弁制御手段２３にて三方弁Ｖはポート▲３▼からポート▲２▼に流通して汲水部方向に変更するように切換えられ（Ｓ２４参照）、且つ第１開閉弁Ｖ１は閉鎖される（Ｓ２５参照）。このとき第２開閉弁Ｖ２は開放状態を保持する。これによって流出側管路５ｂと連結管路６とが逆方向循環となって汲水側管路５ａから熱水が浴槽１０内に流出してその汲水側管路５ａ内及びプレフィルタ８箇所を熱水にて殺菌洗浄を行なう。この汲水部熱水殺菌については、熱水殺菌洗浄指令手段２２にて汲水部熱水殺菌する所定時間を計測し（Ｓ２６参照）、この所定時間経過したか否かを判断する（Ｓ２７参照）。
【００１５】
この後に▲２▼に移行し、図３のフローチャートの▲２▼から始まる。そして前記所定時間が経過しない場合には前記Ｓ２６の手前に戻り、その所定時間が経過した場合には、今度は、排出部熱水殺菌モードとなる（Ｓ２８参照）。そして、弁制御手段２３にて三方弁Ｖはポート▲４▼からポート▲３▼に流通して排出部側に変更するように切換えられ（Ｓ２９参照）、且つ第１開閉弁Ｖ１は開放され（Ｓ３０参照）、第２開閉弁Ｖ２は閉鎖される（Ｓ３１参照）。これによって循環管路５は順方向循環となってプレフィルタ８側から浴水を吸って流出側管路５ｂ側から噴出部９から熱水が浴槽１０内に流出してその流出側管路５ｂ内及び噴出部９箇所を熱水にて排出部熱水殺菌洗浄を行なう。この排出部熱水殺菌洗浄については、熱水殺菌洗浄指令手段２２にて排出部熱水殺菌の所定時間を計測し（Ｓ３２参照）、この所定時間経過したか否かを判断し（Ｓ３３参照）、所定時間が経過しない場合には前記Ｓ３２の手前に戻り、その所定時間が経過した場合には、その排出部熱水殺菌モードは終了し、次に、この全水系熱水殺菌洗浄を終了するか否かを判断し（Ｓ３４参照）、終了するとすると、今度は、温度センサー切換手段２４にて温度センサーが切換えられ（Ｓ３５参照）、第１温度センサー（通常タイプ）２５がＯＮとなる（Ｓ３６参照）。そして、ヒータ１がＯＮとなり（Ｓ３７参照）。ＵＶランプ３ａが点灯して（Ｓ３８参照）、この状態から通常運転状態のフローチャートの▲４▼に戻る。このように、前述の排水部熱水殺菌洗浄モードは、実は通常循環運転モードと同じ関係であり、一定時間経過後には弁制御を行わずに、通常運転モードへの移行ができるものである。また、Ｓ３４において、前記の全水系熱水殺菌洗浄を終了しないとすると、図３の▲３▼を介して図２の▲３▼からＳ１１の手前に戻るものである。
【００１６】
なお、浴水循環装置を通常運転状態のフローチャートは、図４に示すように、浴水循環装置を駆動するか否かを判断し（Ｓ１参照）、浴水循環装置を駆動する場合には、浴水循環装置の電源をＯＮとし（Ｓ２参照）、循環ポンプＰを駆動させ（Ｓ３参照）、ヒータ１をＯＮとし（Ｓ４参照）、さらに紫外線殺菌装置３のＵＶランプ３ａを点灯させて（Ｓ５参照）、第１温度センサー（通常タイプ）２５がＯＮとなり、浴水循環装置を駆動させる。そのとき、熱水管路洗浄をするか否かを判断し（Ｓ７参照）、熱水管路殺菌洗浄させるとすると、図４のフローチャートの▲１▼に進み、そして自動のサブルーチンのフローチャート▲１▼〜▲２▼（図２参照）及びフローチャート▲２▼〜▲４▼（図３参照）となって、再び、図４のフローチャートの▲４▼に戻る。熱水管路殺菌洗浄をしないと判断すると、そのまま駆動させ、浴水循環装置を停止させるか否かを判断し（Ｓ７参照）、停止する場合には終了し、停止しない場合には、浴水循環装置の電源をＯＮするＳ２の手前に戻る。また、Ｓ１において、浴水循環装置を駆動しない場合には終了する。
【００１７】
また、図９（Ａ），（Ｂ）に示すように、基本的な構成であり、循環管路５を太線で、且つ連結管路６及び副連結管路７については比較的細線にて描いた略示関係図であり、図９の（Ａ）は通常運転モードであり、図９の（Ｂ）は熱水管路殺菌洗浄モードを示したものである。他の符号等は第１の実施の形態（図５乃至図８）と同一であり、その説明を省略する。
【００１８】
また、図１０に示すように、前記三方弁Ｖに変えて、連結管路６の流出側寄りの基部箇所の近接位置の循環管路５に２箇所及び連結管路６に１箇所にそれぞれ開閉弁が設けられている。その三方弁Ｖを設けた箇所の前後位置に、開閉弁Ｖ1 ，開閉弁Ｖ2 ，開閉弁Ｖ3 がそれぞれ設けられている。図１０（Ａ）では、図５又は図８と同一の作用をなすものであり、開閉弁Ｖ1 及び開閉弁Ｖ2 を開放し、且つ開閉弁Ｖ3 を閉鎖したものであり、図５の通常循環と同様に、又は図８と同様に熱水による流出側管路５ｂ及び噴出部９箇所を殺菌洗浄する場合である。また、図１０（Ｂ）では、図６と同一の作用をなすものであり、即ち、開閉弁Ｖ1 及び開閉弁Ｖ3 を開放し、且つ開閉弁Ｖ2 を閉鎖したものであり、閉ループ熱水循環する場合である。さらに、図１０（Ｃ）では、図７と同一の作用をなすものであり、即ち、開閉弁Ｖ1 を閉鎖し、開閉弁Ｖ2 及び開閉弁Ｖ3 を開放したものであり、逆ループ熱水循環させて、汲水側管路５ａ内及びプレフィルタ８箇所を熱水にて殺菌洗浄を行なうものである。以上の３つの開閉弁Ｖ1 ，Ｖ2 ，Ｖ3 を適宜開放，閉鎖することで、前記三方弁Ｖと同様な作用をなすため、ブロック図及びフローチャートでは省略する。
【００１９】
【発明の効果】
まず、請求項１の発明では、第１に全体の循環管路５を総て熱水殺菌で行なうために、レジオネラ菌のみならず、クリプトスポリジウム菌等に対しても死滅させることができ、極めて安全且つ衛生的である。特に、熱水管路殺菌洗浄した浴水にて循環管路５の吸込み箇所及び流出箇所までも殺菌洗浄できるものである。また、第２に作業者が殺菌剤及びその排水に接触する可能性がないために安全に洗浄作業を行うことができる。第３に毎日殺菌洗浄すれば、循環管路５の「ぬる」の発生が防止できるのみならず、殺菌洗浄した浴水を浴槽１０内に戻しても浴槽１０内の清潔性は充分に確保できる等の効果を奏する。
【００２０】
また、請求項２の発明では、連結管路６，副連結管路７，三方弁Ｖ，第１開閉弁Ｖ１及び第２開閉弁Ｖ２を設けたことで、熱水管路殺菌洗浄した浴水にて循環管路５の吸込み箇所及び流出箇所までも殺菌洗浄が確実にできる利点がある。請求項３の発明では、三方弁Ｖを３つの開閉弁にて制御することで、請求項２と同様な作用をなし、同様に熱水管路殺菌洗浄した浴水にて循環管路５の吸込み箇所及び流出箇所までも殺菌洗浄ができるものである。
【００２１】
請求項４の発明では、一日又は複数日間に所定時間（例えば、深夜午前３時等）において、各弁を制御し、且つ熱水，浴水の温度を制御して、循環管路５の吸込み箇所及び流出箇所までも自動的に殺菌洗浄できる。このように一定期間毎に熱による洗浄、殺菌を行うことにより、浴水循環装置の管路に付着し、雑菌等のすみかとなる「ヌル」を殆ど着かないようにできるし、毎日等において熱水殺菌洗浄を行うため、浴水に殺菌済の殺菌洗浄後の熱水を流入しても浴水は汚れない利点がある。この点、バッチ処理で行うと「ヌル」の固まり等が流出する恐れがあり、浴水が汚れるという問題点を確実に解消したものである。
【図面の簡単な説明】
【図１】弁制御及び温度制御を自動的に行う本発明のブロック図
【図２】本発明の前半のフローチャート
【図３】本発明の後半のフローチャート
【図４】通常運転のフローチャート
【図５】本発明の実施の形態の通常運転の略示図
【図６】本発明の実施の形態の熱水管路殺菌洗浄循環の略示図
【図７】本発明の実施の形態の汲水部熱水殺菌モードの略示図
【図８】本発明の実施の形態の排水部熱水殺菌モードの略示図
【図９】（Ａ）は本発明の別の実施の形態の通常運転の略示図
（Ｂ）は本発明の別の実施の形態の熱水管路殺菌洗浄循環の略示図
【図１０】（Ａ）は本発明の別の実施の形態の通常運転の略示図
（Ｂ）は本発明の別の実施の形態の熱水管路殺菌洗浄循環の要部略示図
（Ｃ）は本発明の別の実施の形態の汲水部熱水殺菌モードの要部略示図
【符号の説明】
１…ヒータ
２…フィルタ
５…循環管路
６…連結管路
７…副連結管路
１０…浴槽
２２…熱水殺菌洗浄指令手段
２３…弁制御手段
Ｐ…循環ポンプ
Ｖ…三方弁
Ｖ１…第１開閉弁
Ｖ２…第２開閉弁
Ｖ1 ，Ｖ2 ，Ｖ3 …開閉弁
【図１】
0004183785.tif 000002
【図２】
0004183785.tif 000003
【図３】
0004183785.tif 000004
【図４】
0004183785.tif 000005
【図５】
0004183785.tif 000006
【図６】
0004183785.tif 000007
【図７】
0004183785.tif 000008
【図８】
0004183785.tif 000009
【図９】
0004183785.tif 000010
【図１０】
0004183785.tif 000011